(57)【要約】【課題】  設計における検討項目に対応したテンプレートの検索を容易にする業務支援システムを提供する。【解決手段】  本発明の業務支援システムは、端末１０１から、設計者の情報及び設計段階の情報が入力され、ナビゲーションサーバ１０２が、入力された設計者の情報及び設計段階の情報に基づいて設計の検討項目の情報を検索し、端末１０１が、検索された検討項目の情報と、検討項目を検討するために使用される、テンプレートサーバ１０３に格納されているテンプレートの情報とをリンクさせて、検討項目の情報を表示する。【選択図】  図１
2006260032.tif 000002
【特許請求の範囲】
【請求項１】
設計者の情報及び設計段階の情報を入力する入力手段と、
前記入力手段により入力された前記設計者の情報及び設計段階の情報に基づいて設計の検討項目の情報を検索する検索手段と、
前記検索手段により検索された検討項目の情報と、該検討項目を検討するために使用されるテンプレートの情報とをリンクさせて、該検討項目の情報を表示する表示手段とを備える業務支援システム。
【請求項２】
前記表示手段は、
前記検討項目の情報を、該検討項目のテンプレートが準備されている場合、該検討項目のテンプレートが準備中である場合、及び、該検討項目に対してテンプレートを作成しない場合のそれぞれで異なる枠の色を用いて表示する請求項１記載の業務支援システム。
【請求項３】
前記表示手段は、
前記検討項目の情報に該検討項目の内容を示すアイコンを含めて表示する請求項１記載の業務支援システム。
【発明の詳細な説明】
【技術分野】
【０００１】
本発明は、業務支援システムに関する。
【背景技術】
【０００２】
従来、自動車の設計を行う場合、各設計箇所に設計者が検討すべき検討項目を設定している。そして、この検討項目には、設計者が検討項目の検討を行うためのテンプレートというプログラム又は検討事項に関する情報が設定されている。このテンプレートには、例えばバンパー衝突性能を検討するために、断面を自動作成するプログラムなどがある。
【０００３】
そして、従来技術では、設計者が各自のノウハウに基づいて、各設計箇所の検討項目を決定する。そして、設計者は、検討項目に該当するテンプレートを選択する。そのため、設計者は、テンプレートの中身が自分のニーズと合っているか否かを把握するために、テンプレート仕様書の確認や、テンプレート作成部署への連絡を行う。そして、設計者は、設計箇所の検討において、検討項目に漏れがなければ他部署との調整などの後、次の設計のフェーズに進む。他方、設計者は、検討項目に漏れがあれば、例えば漏れた検討項目に該当するテンプレートを検索し、検索したテンプレートを用いて検討項目の検討を行う。
【特許文献１】特開２００３−３１６８２９号公報
【特許文献２】特開２００３−２５６４５７号公報
【特許文献３】特開２０００−２２２１９７号公報
【発明の開示】
【発明が解決しようとする課題】
【０００４】
上述した従来技術では、検討項目とテンプレートとの対応は予め決定されているものではない。そのため、検討項目にいかなるテンプレートを設定するのかについて、設計者が決定している。そのため、検討項目とテンプレートとの対応について、設計者によるバラツキが大きい。また、設計者がテンプレートの内容を判断することは困難である場合が多い。そのため、設計者は、どのテンプレートがどの検討項目用であるのかの判断が困難である。さらに、設計者は、テンプレートの内容を判断することが困難であることからどの設計のフェーズでどのテンプレートを使用するのが効率的であるのかを判断することが困難である。また、検討項目に漏れがあるか否かが関係者や他部署とのミーティングの中で発覚する場合もあるため、設計者が検討項目の漏れを発見できない場合もある。
【０００５】
また、従来技術では、検討項目に対してテンプレートが準備されている状況が設計者に対して明確になっていない。そのため、テンプレートが準備されている検討項目がどれであり、テンプレートを準備中の検討項目がどれであるのかについての状況の把握が設計者にとって困難である。また、検討項目の中にはテンプレート化に向いていない検討項目があり、その判断はテンプレートの作成部署にしか判明しない場合がある。
【０００６】
本発明は上記事情に鑑みなされたもので、その目的とするところは、検討項目に対応したテンプレートの検索を容易にする業務支援システムを提供する点にある。
【０００７】
また、本発明の目的は、検討項目に対応したテンプレートの準備状況の理解を容易にする業務支援システムを提供する点にある。
【０００８】
また、本発明の目的は、検討項目の内容の理解を容易にする業務支援システムを提供する点にある。
【課題を解決するための手段】
【０００９】
上記目的を達成するため、本発明の業務支援システムは、
設計者の情報及び設計段階の情報を入力する入力手段と、
前記入力手段により入力された前記設計者の情報及び設計段階の情報に基づいて設計の検討項目の情報を検索する検索手段と、
前記検索手段により検索された検討項目の情報と、該検討項目を検討するために使用されるテンプレートの情報とをリンクさせて、該検討項目の情報を表示する表示手段とを備える。
【００１０】
この発明によれば、入力された設計者の情報及び設計段階の情報に基づいて設計の検討項目の情報を検索することができ、この検索された検討項目の情報にテンプレートの情報がリンクされて表示されているため、設計者は、検討項目の情報とテンプレートとの対応関係を容易に理解することができる。
【００１１】
また、本発明の業務支援システムは、
前記表示手段は、
前記検討項目の情報を、該検討項目のテンプレートが準備されている場合、該検討項目のテンプレートが準備中である場合、及び、該検討項目に対してテンプレートを作成しない場合のそれぞれで異なる枠の色を用いて表示する。
【００１２】
この発明によれば、検討項目に対するテンプレートの準備状況に応じて検討項目の情報の枠の色が異なるため、設計者は、検討項目に対するテンプレートの準備状況を画面の表示から容易に判断することができる。
【００１３】
また、本発明の業務支援システムは、
前記表示手段は、
前記検討項目の情報に該検討項目の内容を示すアイコンを含めて表示する。
【００１４】
この発明によれば、検討項目の情報に検討項目の内容を示すアイコンが含まれているため、設計者は、検討項目の内容を容易に理解することができる。
【発明の効果】
【００１５】
以上から、本発明によれば、検討項目に対応したテンプレートの検索を容易にする業務支援システムを提供することができる。
【００１６】
また、本発明によれば、検討項目に対応したテンプレートの準備状況の理解を容易にする業務支援システムを提供することができる。
【００１７】
また、本発明によれば、検討項目の内容の理解を容易にする業務支援システムを提供することができる。
【発明を実施するための最良の形態】
【００１８】
以下、図面を参照して本発明を実施するための最良の形態について説明する。以下の実施の形態の構成は例示であり、本発明は実施の形態の構成に限定されない。まず、本発明の業務支援システムの一実施形態について図１を参照して説明する。図１は、本発明の業務支援システムの一実施形態の概略図である。
【００１９】
図１に示されるように、本発明の業務支援システムの一実施形態は、端末１０１と、ナビゲーションサーバ１０２と、テンプレートサーバ１０３とを備える。そして、これらがネットワーク１０４を介して互いに接続されている。なお、図１に示される例では、端末１０１と、ナビゲーションサーバ１０２と、テンプレートサーバ１０３とは１つしか示されていないが、これらの数は１つに限定されるものではなく、１つ以上の任意の数であって良い。
【００２０】
端末１０１は、設計者に利用される。設計者は、この端末１０１を利用して、例えば自動車の設計を行う。ナビゲーションサーバ１０２は、端末１０１からのアクセスに基づいて端末１０１に対して検討項目の情報を送信する。この検討項目の情報とは、設計者の担当部品及び設計の段階（フェーズ）において設計者が検討すべき項目を示す情報である。また、テンプレートサーバ１０３は、端末１０１からのアクセスに基づいてテンプレートのプログラムや画像情報を端末１０１に送信する。テンプレートのプログラムとは、検討項目に対する検討を行うためのプログラムである。また、画像情報とは検討作業を行うための画像情報である。
【００２１】
次に、図１に示される各装置の内部構成について図面を参照して説明する。まず、図２を参照して、本発明の業務支援システムの一実施形態の端末の内部構成について説明する。図２は、本発明の業務支援システムの一実施形態の端末の内部構成のブロック図である。
【００２２】
図２に示されるように、本実施形態の端末には、入力部２０１と、表示部２０２と、テンプレート実施部２０３と、送信部２０４と、受信部２０５とを備える。端末を利用する設計者は、入力部２０１を利用して情報を入力する。この入力部２０１は、例えば、キーボードやマウスなどを挙げることができる。
【００２３】
表示部２０２は、受信部２０５が受信した情報を表示する。この表示部２０２は、例えば受信部２０５が受信した検討項目の情報や、画像情報からなる検討項目の情報を表示する。テンプレート実施部２０３は、受信部２０５が受信したテンプレートのプログラムを実施する。送信部２０４は、入力部２０１から入力された情報をナビゲーションサーバやテンプレートサーバへ送信する。受信部２０５は、ナビゲーションサーバやテンプレートサーバから受信した情報を受信する。
【００２４】
次に、本発明の業務支援システムの一実施形態のナビゲーションサーバの内部構成について図３を参照して説明する。図３は、本発明の業務支援システムの一実施形態のナビゲーションサーバの内部構成のブロック図である。
【００２５】
図３に示されるように、本実施形態のナビゲーションサーバは、受信部３０１と、検索部３０２と、検討項目データベース３０３と、送信部３０４とを備える。受信部３０１は、端末から送信された情報を受信する。検索部３０２は、受信部３０１が受信した情報に基づいて検討項目データベース３０３を検索し、検討項目の情報を検索する。検討項目の情報は、設計者の担当部品及び設計のフェーズに基づいて予め決定されている情報である。この検討項目の情報は、検討項目の検討内容をアイコン化した画像情報を含む。そして、検索部３０２は、検索された検討項目の情報を送信部３０４に出力する。検討項目データベース３０３には、検討項目の情報が格納されている。送信部３０４は、検索部３０２が出力した情報を端末に送信する。
【００２６】
次に、本発明の業務支援システムの一実施形態のテンプレートサーバの内部構成について図４を参照して説明する。図４は、本発明の業務支援システムの一実施形態のテンプレートサーバの内部構成のブロック図である。
【００２７】
図４に示されるように、本実施形態のテンプレートサーバは、受信部４０１と、検索部４０２と、データベース４０３と、送信部４０４とを備える。受信部４０１は、端末から送信された情報を受信する。検索部４０２は、受信部４０１が受信した情報に基づいてデータベース４０３を検索する。検索部４０２は、端末から送信された、検討項目を指定する情報に基づいて、データベース４０３からテンプレートや画像情報を検索する。検索部４０２は、検索されたテンプレートや画像情報を送信部４０４に出力する。送信部４０４は、テンプレート検索部４０２から出力された情報を端末に送信する。
【００２８】
次に、本発明の業務支援システムの一実施形態の動作について図５を参照して説明する。図５は、本発明の業務支援システムの一実施形態の動作のフローチャートである。図５に示されるように、まず、端末に、設計者の情報が入力される（Ｓ５０１）。Ｓ５０１において設計者が入力する情報は、設計者の担当部品及び設計のフェーズの情報である。
【００２９】
ここで、設計者がＳ５０１において端末から情報が入力される際の動作について図６及び図７を参照して説明する。図６及び図７は、本発明の業務支援システムの一実施形態の端末に表示される画面の一例を示す概略図である。
【００３０】
図６に示される画面は、ナビゲーションサーバにアクセスした端末に表示される画面である。図６に示される画面には、設計者の担当部品を選択するためのリンク６０１が表示されている。なお、本発明の業務支援システムの一実施形態の端末に表示される担当部品の数、種類については、図６に示される例に限定されるものではなく、その他の担当部品などを使用しても良い。設計者は、マウスによってリンク６０１をクリックする。このクリックにより、設計者の担当部品の情報がナビゲーションサーバに送信される。
【００３１】
図７に示される画面は、ナビゲーションサーバにアクセスした端末に表示される画面である。図７に示される画面には、設計者の現在の設計フェーズを選択するためのリンク７０１が表示されている。なお、本発明の業務支援システムの一実施形態の端末に表示される設計フェーズの数、種類については、図７に示される例に限定されるものではなく、その他の設計フェーズを使用しても良い。設計者は、マウスによってリンク７０１をクリックする。このクリックにより、設計フェーズの情報がナビゲーションサーバに送信される。
【００３２】
このように、端末は、入力された情報をナビゲーションサーバに送信する（Ｓ５０２）。そして、ナビゲーションサーバは、端末から送信された情報を受信する（Ｓ５０３）。次に、ナビゲーションサーバは、受信した情報に基づいて、、設計者の担当部品及び設計のフェーズに基づいて予め検討項目に対して設定されている検討項目の情報を検討項目データベースから検索する（Ｓ５０４）。すなわち、ナビゲーションサーバは、端末から送信された設計者の担当部品及び設計のフェーズに基づいて検討項目の情報を検索する。検討項目の情報には、設計者の担当部品及び設計のフェーズに基づいて予め決定された検討項目を示す画像情報（アイコン）が含まれる。この検討項目の情報は、端末から送信された設計者の担当部品及び設計のフェーズに基づいて決定される少なくとも１以上の検討事項の情報からなる。
【００３３】
次に、ナビゲーションサーバは、検索した検討項目の情報を端末に送信する（Ｓ５０５）。次に、端末は、ナビゲーションサーバから送信された検討項目の情報を受信する（Ｓ５０６）。次に、端末は、受信した検討項目の情報を表示する（Ｓ５０７)。
【００３４】
ここで、Ｓ５０７において、端末に表示される画面について図８を参照して説明する。図８は、本発明の業務支援システムの一実施形態の端末に表示される画面の一例を示す概
略図である。
【００３５】
図８に示されるように、端末には、歩行者保護・脚部エリア出しの検討項目８０１と、アプローチアングルチェックの検討項目８０２と、フードロック盗難性の検討項目８０３とが表示されている。なお、本発明の業務支援システムの一実施形態に表示される検討項目の数、種類は、図８に示される例に限定されるものではない。
【００３６】
本実施形態では、端末の表示部はテンプレートの準備状況に応じて、端末の画面に表示されている検討項目の枠の色を異ならせている。例えば、図８に示される例では、歩行者保護・脚部エリア出しの検討項目８０１は、テンプレートを作成中であり、アプローチアングルチェックの検討項目８０２はテンプレートが完成しており、フードロック盗難性の検討項目８０３は、テンプレート化をしない検討項目である。
【００３７】
そのため、図８に示される例では、歩行者保護・脚部エリア出しの検討項目８０１と、アプローチアングルチェックの検討項目８０２と、フードロック盗難性の検討項目８０３との枠の色をそれぞれ異ならせている。具体的には、歩行者保護・脚部エリア出しの検討項目８０１の枠の色は、オレンジ色であり、アプローチアングルチェックの検討項目８０２の枠の色は青色であり、フードロック盗難性の検討項目８０３の枠の色は灰色である。ただし、本発明の業務支援システムでは、枠の色はこれらの色に限定されるものではない。また、本実施形態では、枠の線種を変えるとしても良い。このように、本実施形態では、テンプレートの準備状況に応じて、端末の画面に表示されている検討項目の枠の色を異ならせている。そのため、設計者は、検討項目に対応するテンプレートの準備状況を明確に認識することができる。
【００３８】
また、本発明の業務支援システムの一実施形態では、歩行者保護・脚部エリア出しの検討項目８０１と、アプローチアングルチェックの検討項目８０２と、フードロック盗難性の検討項目８０３とのそれぞれの検討内容をアイコン８０４，８０５，８０６により図示化している。そのため、設計者は、アイコン８０４，８０５，８０６により、検討項目の内容を容易に理解することができる。
【００３９】
歩行者保護・脚部エリア出しの検討項目８０１は、歩行者保護性能の成立性を検討する項目である。この検討項目では、試験的なエリア出しや、主要断面の作成や、インパクターとの位置確認を行う。
【００４０】
本実施形態では、歩行者保護・脚部エリア出しの検討項目８０１に対してはテンプレートが作成中である。そのため、歩行者保護・脚部エリア出しの検討項目８０１には作成中の表示８０７が設定されている。
【００４１】
アプローチアングルチェックの検討項目８０２は、テンプレートの作成が完了している検討項目である。アプローチアングルチェックの検討項目８０２は、テンプレートサーバに格納されているプログラムとリンクされている。
【００４２】
フードロック盗難性の検討項目８０３はテンプレートが作成されない検討項目である。フードロック盗難性の検討項目８０３は、テンプレートサーバに格納されている画像情報とリンクしている。
【００４３】
次に、端末では、設計者が、テンプレートを使用する検討項目や画像情報を取得する検討項目を選択する（Ｓ５０８）。この選択は、例えば設計者がマウスにより端末に表示されたテンプレートの情報とリンクしている検討項目の画像を設計者がクリックすることにより行われる。
【００４４】
次に、端末は、選択した検討項目の情報をテンプレートサーバに送信する（Ｓ５０９）。この検討項目の選択は、端末に表示されている検討項目の画像がクリックされることにより行われる。次に、テンプレートサーバは、端末から送信された、選択した検討項目を示す情報を受信する（Ｓ５１０）。次に、テンプレートサーバは、受信した検討項目を示す情報に基づいてテンプレート又は画像情報を検索する（Ｓ５１１）。次に、テンプレートサーバは、検索されたテンプレート又は画像情報を端末に送信する（Ｓ５１２）。次に、テンプレート又は画像情報を受信した端末は、その情報がプログラムであればプログラムを実施し、その情報が画像情報であればその画像を表示する（Ｓ５１４）。
【００４５】
ここで、Ｓ５１４におけるテンプレートのプログラムの実施又は画像の表示について説明する。まず、本実施形態では、歩行者保護・脚部エリア出しの検討項目８０１には、テンプレートサーバの画像情報がリンクしている。そのため、歩行者保護・脚部エリア出しの検討項目８０１がクリックされた場合、リンク先の画像情報が端末に表示される。
【００４６】
ここで、歩行者保護・脚部エリア出しの検討項目８０１をクリックした場合に端末に表示される画面について図９を参照して説明する。図９は、本発明の業務支援システムの一実施形態の端末に表示される画面の一例を示す概略図である。図９に示されるように、歩行者保護・脚部エリア出しの検討項目８０１は作成中であるため、テンプレートを作成中である旨を示す画像９０１が端末に表示される。さらに、作成されるテンプレートの概要及びねらいを示す画像９０２が表示されている。この画像９０２により、設計者は作成されるテンプレートの概要及びねらいを理解することができる。
【００４７】
また、設計者がアプローチアングルチェックの検討項目８０２をクリックすると、テンプレートサーバからアプローチアングルチェックの検討を行うための、アプローチアングルチェックの検討項目８０２にリンクしているプログラムが端末に送信される。そして、端末は、送信されたプログラムを端末において実施して検討項目のチェックを行う。
【００４８】
また、設計者がフードロック盗難性の検討項目８０３をクリックするとテンプレートサーバから、フードロック盗難性の検討項目８０３にリンクしている画像情報が端末に送信される。
【００４９】
ここで、フードロック盗難性の検討項目８０３にリンクしている画像について図１０を参照して説明する。図１０は、本発明の業務支援システムの一実施形態の端末に表示される画面の一例を示す概略図である。図１０に示されるように、この画面には、テンプレートが無い旨を示す画像１００１と、検討作業イメージ例の画像１００２とが表示されている。図１０に示される画面を確認することにより、設計者は、検討作業を確認することができる。
【００５０】
以上のように、本発明の業務支援システムの一実施形態では、検討項目に対してテンプレートのプログラムがリンクしているため、テンプレートの検索を容易に行うことができる。また、検討項目にテンプレートが用意されていない場合であっても、検討項目に対する画像情報が検討項目の画像にリンクしているため、設計者は必要な情報を簡単な取得することができる。
【００５１】
また、本発明の業務支援システムの一実施形態では、検討項目の内容がアイコンにより表示されるため、検討項目の内容を容易に理解することができる。
【００５２】
さらに、本発明の業務支援システムの一実施形態では、表示される検討項目の枠の色をテンプレートの準備状況に応じて変更しているため、設計における検討項目に対応したテ
ンプレートの準備状況及び内容の理解を容易にすることができる。
【図面の簡単な説明】
【００５３】
【図１】本発明の業務支援システムの一実施形態の概略図である。
【図２】本発明の業務支援システムの一実施形態の端末の内部構成のブロック図である。
【図３】本発明の業務支援システムの一実施形態のナビゲーションサーバの内部構成のブロック図である。
【図４】本発明の業務支援システムの一実施形態のテンプレートサーバの内部構成のブロック図である。
【図５】本発明の業務支援システムの一実施形態の動作のフローチャートである。
【図６】本発明の業務支援システムの一実施形態の端末に表示される画面の一例を示す概略図である。
【図７】本発明の業務支援システムの一実施形態の端末に表示される画面の一例を示す概略図である。
【図８】本発明の業務支援システムの一実施形態の端末に表示される画面の一例を示す概略図である。
【図９】本発明の業務支援システムの一実施形態の端末に表示される画面の一例を示す概略図である。
【図１０】本発明の業務支援システムの一実施形態の端末に表示される画面の一例を示す概略図である。
【符号の説明】
【００５４】
１０１  端末
１０２  ナビゲーションサーバ
１０３  テンプレートサーバ
１０４  ネットワーク
２０１  入力部
２０２  表示部
２０３  テンプレート実施部
２０４  送信部
２０５  受信部
３０１  受信部
３０２  検索部
３０３  検討項目データベース
３０４  送信部
４０１  受信部
４０２  検索部
４０３  データベース
４０４  送信部
６０１，７０１  リンク
８０１  歩行者保護・脚部エリア出しの検討項目
８０２  アプローチアングルチェックの検討項目
８０３  フードロック盗難性の検討項目
８０４，８０５，８０６  アイコン
８０７  作成中の表示
９０１，９０２，１００１，１００２  画像
【図１】
2006260032.tif 000003
【図２】
2006260032.tif 000004
【図３】
2006260032.tif 000005
【図４】
2006260032.tif 000006
【図５】
2006260032.tif 000007
【図６】
2006260032.tif 000008
【図７】
2006260032.tif 000009
【図８】
2006260032.tif 000010
【図９】
2006260032.tif 000011
【図１０】
2006260032.tif 000012